(57)【要約】【解決手段】  基材（１）の表面に上端と下端に余白を残してポケット開口部が上方を向くように防犯ベルを収納するためのポケット部を設け、切れ目（２）にランドセルの肩ベルト又は鞄の提手を通し、切れ目（２）を通したランドセルの肩ベルト又は鞄の提手を、舌状片（３’）の面ファスナーＡ（３）のファスニング面と、舌状片（３’’’）の面ファスナーＢ（４）のファスニング面をファスニングすることにより、ランドセルの肩ベルト又は鞄の提手に容易に且つ迅速に装着することができる防犯ベルカバーであって、リング部（Ｙ）を、ランドセルの肩ベルト又は鞄の提手に設けられているＤ環及び／又はナス環に固定する。【効果】防犯ベルカバーの落下を防止する。【選択図】  図２
2010240223.tif 000002
【特許請求の範囲】
【請求項１】
基材（１）の表面に上端と下端に余白を残してポケット開口部が上方を向くように防犯ベルを収納するためのポケット部を設け、
上端余白部と下端余白部に横方向に切れ目（２）を入れ、
基材（１）の裏面に二つの舌状片（３’及び３’’’）を設け、
舌状片（３’）の表側部分に面ファスナーＡ（３）をファスニング面が表を向くように縫着し、
舌状片（３’’’）の裏側部分に面ファスナーＢ（４）をファスニング面が裏を向くように縫着することにより、
切れ目（２）にランドセルの肩ベルト又は鞄の提手を通し、
切れ目（２）を通したランドセルの肩ベルト又は鞄の提手を、
舌状片（３’）の面ファスナーＡ（３）のファスニング面と、
舌状片（３’’’）の面ファスナーＢ（４）のファスニング面をファスニングすることにより、
ランドセルの肩ベルト又は鞄の提手に容易に且つ迅速に装着することができる防犯ベルカバーにおいて、
基材上端（Ｕ１）とポケット上端（Ｕ２）の間に少なくとも一つの孔部（Ｘ）を設け、
孔部（Ｙ）を介して基材の表面と裏面を跨ぐようにリングを通したリング部（Ｙ）を設け、
前記リング部（Ｙ）を、
ランドセルの肩ベルト又は鞄の提手に設けられているＤ環及び／又はナス環に固定することにより、
防犯ベルカバーの落下を防止する機能を発揮することを特徴とする防犯ベルカバー。
【請求項２】
基材（１）の表面に上端と下端に余白を残してポケット開口部が上方を向くように防犯ベルを収納するためのポケット部を設け、
上端余白部と下端余白部にＬ字形又はＬ字を左右反転させた形の切れ目（２）を入れることにより舌状片（３’）と端片（３’’）を設け、
舌状片（３’）の裏側部分に面ファスナーＡ（３）をファスニング面が裏を向くように縫着し、
端片（３’’）の裏側部分に面ファスナーＢ（４）をファスニング面が表を向くように縫着することにより、
ランドセルの肩ベルト又は鞄の提手に容易に且つ迅速に装着することができる防犯ベルカバーにおいて、
基材上端（Ｕ１）とポケット上端（Ｕ２）の間に少なくとも一つの孔部（Ｘ）を設け、
孔部（Ｙ）を介して基材の表面と裏面を跨ぐようにリングを通したリング部（Ｙ）を設け、
前記リング部（Ｙ）を、
ランドセルの肩ベルト又は鞄の提手に設けられているＤ環及び／又はナス環に固定することにより、
防犯ベルカバーの落下を防止する機能を発揮することを特徴とする防犯ベルカバー。
【請求項３】
防犯ベルを収納収納するためのポケット部分が、
収縮性と透視性を有する素材から構成され、防犯ベルカバー内部に防犯ベル本体が存在することを外部から容易に視認することができると共にカバー内部で防犯ベルが揺動しないように支持する機能を発揮することを特徴とする、
請求項１又は２に記載した防犯ベルカバー。
【発明の詳細な説明】
【技術分野】
【０００１】
本願発明は、防犯ベルを収納する防犯ベルカバーに関する。
【背景技術】
【０００２】
［特許文献１］  意匠登録１２９１９８８号
意匠登録１２９１９８８号には、ランドセル、肩掛けかばん等の胸にあたる部分等にコンパクトに防犯ベル及びＧＰＳを収納するための防犯ベルカバーが開示されている。従前は、子供がランドセル等の本体の部分に防犯ベルを付けていることが多くみられるが、実際に危険に犯された時に迅速に使用する事が出来ない為、前のベルトの部分に固定又は解除出来る防犯ベルカバーが存在しなかった。当該防犯ベルカバーは、従前のものと比較して、コンパクトに収納し、かつ機能的であることが特徴である。（１）防犯ベルに付いている紐をたよらず本体をそのままカバーの中に収納でき、（２）表面を網にしているので消音することがなく、（３）素材が軟らかいので利用者の負担を軽減し、（４）胸に付いているので利用しやすく、不審者に対する防御になる。
【０００３】
［特許文献２］  実登３１３６０５６号
実登３１３６０５６号には、防犯ベル収納ポケット部分が収縮性と透視性を有する素材から構成され、防犯ベルカバー内部に防犯ベル本体が存在することを外部から容易に視認することができるようにした防犯ベルカバーが開示されている。当該防犯ベルカバーは、カバー内部で防犯ベルが揺動しないように支持でき、面ファスナーにより鞄の提手又は肩ベルトに容易に且つ迅速に装着するできることが特徴である。当該防犯ベルカバーは、
（１）防犯ベルに衝撃を与えずにスムーズに収納する機能、
（２）違和感なく防犯ベルを携行することができる機能、
（３）多種多様な形状やサイズの防犯ベルを収納できる機能、
（４）有事に防犯ベルを携行者の体の前面で咄嗟に且つ迅速に操作できる機能、
（５）不審者を牽制するために防犯ベル本体が防犯ベルカバー内部に存在することを不審者に対して視覚的に顕示して防犯につながる機能
の全てを同時に発揮することができる。
当該防犯ベルカバーは、従前の防犯ベルカバーとは対照的に、これらの５つの機能の全てを同時に発揮する特徴がある。
【０００４】
【特許文献１】意匠登録１２９１９８８号
【特許文献２】実登３１３６０５６号
【発明の開示】
【発明が解決しようとする課題】
【０００５】
上記した意匠登録１２９１９８８号及び実登３１３６０５６号は、
（１）防犯ベルに衝撃を与えずにスムーズに収納する機能、
（２）違和感なく防犯ベルを携行することができる機能、
（３）多種多様な形状やサイズの防犯ベルを収納できる機能、
（４）有事に防犯ベルを携行者の体の前面で咄嗟に且つ迅速に操作できる機能、
（５）不審者を牽制するために防犯ベル本体が防犯ベルカバー内部に存在することを不審者に対して視覚的に顕示して防犯につながる機能
の全てを同時に発揮することができるという点で優れた防犯ベルカバーであった。
然るに、例えば、意匠登録１２９１９８８号及び実登３１３６０５６号に開示されている防犯ベルカバーを、ランドセルの肩ベルトの前面に装着した場合に、防犯ベルカバーが肩ベルトに沿って、下方に落下してしまうという問題があった。
本出願に係る発明が解決しようとする課題は、例えば、意匠登録１２９１９８８号及び実登３１３６０５６号に開示されている防犯ベルカバーをランドセルの肩ベルトの前面に装着した場合であっても、防犯ベルカバーが肩ベルトに沿った落下を防止することである。
【発明の効果】
【０００６】
本願発明に係る防犯ベルカバーの作用効果効果は、
（１）防犯ベルに衝撃を与えずにスムーズに収納する機能、
（２）違和感なく防犯ベルを携行することができる機能、
（３）多種多様な形状やサイズの防犯ベルを収納できる機能、
（４）有事に防犯ベルを携行者の体の前面で咄嗟に且つ迅速に操作できる機能、
（５）不審者を牽制するために防犯ベル本体が防犯ベルカバー内部に存在することを不審者に対して視覚的に顕示して防犯につながる機能
の全ての機能を同時に発揮しつつ、
さらに併せて、
（６）防犯ベルカバーを装着したベルトに沿った下方への落下を防止する機能
をも発揮することである。
上記作用効果のうち、（１）〜（５）については、意匠登録１２９１９８８号及び実登３１３６０５６号において実現されていたが、（６）については実現困難であった。
【課題を解決するための手段】
【０００７】
本願発明に係る防犯ベルカバーの基本構造は、意匠登録１２９１９８８号及び実登３１３６０５６号において開示されているとおり、防犯ベル収納ポケット部分が収縮性と透視性を有する素材から構成され、防犯ベルカバー内部に防犯ベル本体が存在することを外部から容易に視認することができると共にカバー内部で防犯ベルが揺動しないように支持することができることを特徴とし、並びに、面ファスナーにより鞄の提手又は肩ベルトに容易に且つ迅速に装着することができるものである。
【０００８】
本願発明に係る防犯ベルカバーの基本構造は、意匠登録１２９１９８８号及び実登３１３６０５６号において開示されているとおり、防犯ベル収納ポケット部分が収縮性と透視性を有する素材から構成され、防犯ベルカバー内部に防犯ベル本体が存在することを外部から容易に視認することができると共にカバー内部で防犯ベルが揺動しないように支持することができることを特徴とし、並びに、面ファスナーにより鞄の提手又は肩ベルトに容易に且つ迅速に装着することができるものである。
【０００９】
本願発明に係る防犯ベルカバーの基本構造において、防犯ベルカバーを構成する基材（１）は、特に制限されるものではないが、好ましくは、四角形又は楕円形の皮革又は人工皮革を含んで構成される。
【００１０】
本願発明に係る防犯ベルカバーの特徴的構造とその構造によって発揮される機能は、
基材上端（Ｕ１）とポケット上端（Ｕ２）の間に少なくとも一つの孔部（Ｘ）を設け、
孔部（Ｙ）を介して基材の表面と裏面を跨ぐようにリングを通したリング部（Ｙ）を設けることにより、
前記リング部（Ｙ）を、
ランドセルの肩ベルト又は鞄の提手に設けられているＤ環及び／又はナス環に固定することにより、
防犯ベルカバーの落下を防止する機能を発揮することができることである。
【００１１】
本願発明における課題を解決するための手段は、以下の［請求項１］〜［請求項３］に記載した事項により特定される。
［請求項１］
基材（１）の表面に上端と下端に余白を残してポケット開口部が上方を向くように防犯ベルを収納するためのポケット部を設け、
上端余白部と下端余白部に横方向に切れ目（２）を入れ、
基材（１）の裏面に二つの舌状片（３’及び３’’’）を設け、
舌状片（３’）の表側部分に面ファスナーＡ（３）をファスニング面が表を向くように縫着し、
舌状片（３’’’）の裏側部分に面ファスナーＢ（４）をファスニング面が裏を向くように縫着することにより、
切れ目（２）にランドセルの肩ベルト又は鞄の提手を通し、
切れ目（２）を通したランドセルの肩ベルト又は鞄の提手を、
舌状片（３’）の面ファスナーＡ（３）のファスニング面と、
舌状片（３’’’）の面ファスナーＢ（４）のファスニング面をファスニングすることにより、
ランドセルの肩ベルト又は鞄の提手に容易に且つ迅速に装着することができる防犯ベルカバーにおいて、
基材上端（Ｕ１）とポケット上端（Ｕ２）の間に少なくとも一つの孔部（Ｘ）を設け、
孔部（Ｙ）を介して基材の表面と裏面を跨ぐようにリングを通したリング部（Ｙ）を設け、
前記リング部（Ｙ）を、
ランドセルの肩ベルト又は鞄の提手に設けられているＤ環及び／又はナス環に固定することにより、
防犯ベルカバーの落下を防止する機能を発揮することを特徴とする防犯ベルカバー。
［請求項２］
基材（１）の表面に上端と下端に余白を残してポケット開口部が上方を向くように防犯ベルを収納するためのポケット部を設け、
上端余白部と下端余白部にＬ字形又はＬ字を左右反転させた形の切れ目（２）を入れることにより舌状片（３’）と端片（３’’）を設け、
舌状片（３’）の裏側部分に面ファスナーＡ（３）をファスニング面が裏を向くように縫着し、
端片（３’’）の裏側部分に面ファスナーＢ（４）をファスニング面が表を向くように縫着することにより、
ランドセルの肩ベルト又は鞄の提手に容易に且つ迅速に装着することができる防犯ベルカバーにおいて、
基材上端（Ｕ１）とポケット上端（Ｕ２）の間に少なくとも一つの孔部（Ｘ）を設け、
孔部（Ｙ）を介して基材の表面と裏面を跨ぐようにリングを通したリング部（Ｙ）を設け、
前記リング部（Ｙ）を、
ランドセルの肩ベルト又は鞄の提手に設けられているＤ環及び／又はナス環に固定することにより、
防犯ベルカバーの落下を防止する機能を発揮することを特徴とする防犯ベルカバー。
［請求項３］
防犯ベルを収納収納するためのポケット部分が、
収縮性と透視性を有する素材から構成され、防犯ベルカバー内部に防犯ベル本体が存在することを外部から容易に視認することができると共にカバー内部で防犯ベルが揺動しないように支持する機能を発揮することを特徴とする、
請求項１又は２に記載した防犯ベルカバー。
【実施例１】
【００１２】
実施例１として、「特許請求の範囲」における「実施例１」に即した防犯ベルカバーを作成した（実施態様１）。
〈防犯ベルカバーの作成〜ステップ１（基本構造の作成）〉
第１ステップとして、防犯ベルカバーの基本構造を作成した。
基本構造は、意匠登録１２９１９８８号で開示したものと同じ構造である。
第１ステップで作成した防犯ベルカバーの基本構造を図１に示した。
〈防犯ベルカバーの作成〜ステップ２（特徴構造の作成）〉
第２ステップとして、防犯ベルカバーの特徴構造を作成した。
第２ステップで作成した防犯ベルカバーの特徴構造を図２に示した。
第２ステップにおいて、最初に、ステップ１で作成した防犯ベルカバーについて、本願発明の構成要件（発明特定事項）上の重要な特徴の一つである、孔部（Ｘ）を穿孔した。
孔部（Ｘ）は、特に制限されるものではないが、実施例１においては、ハトメで補強した。
次に、孔部（Ｘ）について、本願発明の構成要件（発明特定事項）上の重要な特徴の一つであるリングを通し、リング部（Ｙ）とした。
リング部に使用するリングは、特に制限されるものではないが、実施例１においては、金属環（例えば、キーホルダーにおいて鍵を束ねるために使用する金属線材を３周程度コイルにしたリング）を使用した。
リング部に使用するリングとしては、例えば、金属環（例えば、キーホルダーにおいて鍵を束ねるために使用する金属線材を１〜３周程度コイルにしたリング、孔を開けた短冊状の単語暗記カードを束ねるために使用する開閉自由なリング等）、安全ピン、クリップ（ゼムクリップ、ダブルクリップ、洗濯バサミ等）、カラビナ（登山用・アクセサリー用・ＩＤカードホルダーストラップ用等のカラビナ）、ループ（繊維製・プラスチック製・エラストマー製等のループ、輪ゴム等）等を好ましく使用することができる。
第２ステップで完成した本願発明に係る防犯ベルカバーの外観を図８〜１７に示した。
第２ステップで完成した本願発明に係る防犯ベルカバーの装着状態を図７に示した。
比較例として、第１ステップで完成した従来型の防犯ベルカバーの装着状態を図１８に示した。
第２ステップで完成した本願発明に係る防犯ベルカバーのランドセルの肩ベルトへのファスニング方法を図１９〜２１に示した。
第２ステップで完成した本願発明に係る防犯ベルカバーへの防犯ベル本体の装着方法を図３２及び図３３に示した。
第２ステップで完成した本願発明に係る防犯ベルカバーのバリエーションである他の形態を図３４に示した。
図７から明らかなように、ステップ２で作成した特徴構造を付加した防犯ベルカバーは、基本構造のみに防犯ベルカバーとは対照的に、防犯ベルカバーをランドセルの肩ベルトの前面に装着した場合であっても、防犯ベルカバーが肩ベルトに沿った落下を防止することができた。
図１８から明らかなように、従来型の防犯ベルカバーの場合は、防犯ベルカバーが装着したベルトに沿って下方へ落下してしまった。
〈実施例１の作用効果〉
ステップ１で作成した基本構造のみの防犯ベルカバーは、意匠登録１２９１９８８号にも開示してあるように、
（１）防犯ベルに衝撃を与えずにスムーズに収納する機能、
（２）違和感なく防犯ベルを携行することができる機能、
（３）多種多様な形状やサイズの防犯ベルを収納できる機能、
（４）有事に防犯ベルを携行者の体の前面で咄嗟に且つ迅速に操作できる機能、
（５）不審者を牽制するために防犯ベル本体が防犯ベルカバー内部に存在することを不審者に対して視覚的に顕示して防犯につながる機能
の全てを同時に発揮することができる。
しかし、基本構造のみに防犯ベルカバーをランドセルの肩ベルトに装着すると、防犯ベルカバーが、自重のために、肩ベルトに沿って、下方に落下してしまうという問題があった。
ステップ２で作成した特徴構造を付加した防犯ベルカバーは、基本構造のみに防犯ベルカバーとは対照的に、防犯ベルカバーをランドセルの肩ベルトの前面に装着した場合であっても、防犯ベルカバーが肩ベルトに沿った落下を防止することができた。
【実施例２】
【００１３】
実施例２として、「特許請求の範囲」における「実施例２」に即した防犯ベルカバーを作成した（実施態様２）。
〈防犯ベルカバーの作成〜ステップ１（基本構造の作成）〉
第１ステップとして、防犯ベルカバーの基本構造を作成した。
基本構造は、実登３１３６０５６号で開示したものと同じ構造である。
第１ステップで作成した防犯ベルカバーの基本構造を図３に示した。
基材（１）の上下両端部の位置にポケット開口部と平行に両端が１０〜３０ｍｍだけ残るような切れ目（２）を入れ、前記切れ目（２）の一端について直角に上方向に切れ目（２）を入れることにより、基材（１）の上下片側に、それぞれ、幅１０〜３０ｍｍ及び長さ２０〜１９０ｍｍの舌状片（３’）、及び、幅１０〜３０ｍｍ及び長さ１０〜３０ｍｍの端片（３’’）を設けた。
舌状片（３’）の裏側前面には、舌状片（３’）と同じサイズの面ファスナーＡ（３）を、ファスニング面が防犯ベル収納ポケット部分の裏面を向くように縫着する。
その後、端片（３’’）の裏側前面には、舌状片（３’）と同じ幅と同じ長さを有する面ファスナーＢ（４）を、面ファスナーＡ（３）と面ファスニングできる位置関係で、ファスニング面が防犯ベル収納ポケット部分の表面を向くように縫着した。
このような面ファスナーの構成により、面ファスナーＡ（３）と面ファスナーＢ（４）を面ファスニングすることにより、鞄の提手又は肩ベルトに容易に且つ迅速に装着することができることを特徴を有する。
基本構造の最良の態様の制作方法を図２２〜図２６に、本願発明に係る防犯ベルカバーの鞄の提手又は肩ベルトへの装着方法を図２７〜図２９に、本願発明に係る防犯ベルカバーの基本構造を図３０（長方形型）と図３１（楕円形型）に、本願発明に係る防犯ベルカバーへの防犯ベル本体の装着方法を図３２〜図３３に示した。
【００１４】
図２２に、実施例２の防犯ベルカバーを制作するに当たり、防犯ベルカバー裏面における、基材（１）への切れ目（２）の入れ方を示した。
本願発明の典型的態様（長方形型防犯ベルカバー）においては、基材（１）の寸法は、長辺１５０ｍｍ及び短辺７５ｍｍであり、基材（１）の材質は、人工皮革である。
請求項２及び実施例２に係る防犯ベルカバーの典型的態様（長方形型防犯ベルカバー）においては、基材（１）のポケット開口部と平行に基材の上下端部内側２０ｍｍの位置に、両端が１５ｍｍが残るような切れ目（２）を入れ、この切れ目（２）の一端について直角上方向に切れ目（２）を入れることにより、基材（１）の両端辺側に、それぞれ、幅２０ｍｍ及び長さ６０ｍｍの舌状片（３’）、及び、幅１５ｍｍ及び長さ２０ｍｍの端片（３’’）を設けた。
【００１５】
前記舌状片（３’）の裏側前面には、舌状片（３’）と同じサイズの面ファスナーＡ（３）を、ファスニング面が防犯ベル収納ポケット部分の裏面を向くように縫着した（図２３及び図２４）。
前記端片（３’’）の裏側前面では、舌状片（３’）と同じ幅（２０ｍｍ）で同じ長さ（７５ｍｍ）を有する面ファスナーＢ（４）を、面ファスナーＡ（３）と面ファスニングできる位置関係で、ファスニング面が防犯ベル収納ポケット部分の表面を向くように縫着した（図２５及び図２６）。
このような態様で面ファスナーを縫着固定することにより、面ファスナーを利用して、防犯ベルカバーを、鞄の提手又は肩ベルトに容易に且つ迅速に装着することができる（図２７〜図２９）。
【００１６】
実施例２の防犯ベルカバーの基本構造と、本願発明に係る防犯ベルカバーを構成する部材を、図３０（長方形型）と図３１（楕円形型）に示した。
防犯ベルカバーの上下両端部分に面ファスナーを縫着してあるので、鞄の提手又は肩ベルトに容易に且つ迅速に装着することができる。
防犯ベル収納ポケット部分は、収縮性のある網素材を使用することにより透視性を発揮し、内容物であるポケットベル本体をしっかりと保持することができる。
防犯ベル収納ポケット部分の開口部は、基材（１）と縫着固定がされておらず、ポケット部の入り口となっている。
開口部では、網素材を、収縮性布テープ（ゴムテープ）のみに縫着し、基材（１）には縫着していないので、ポケット部の入り口が収縮性を有するために、防犯ベル本体をポケット内部に収納しても、防犯ベル本体が、入り口から脱落したり、落下することがない。
防犯ベル収納ポケット部分の開口部以外の３辺の周囲は、バイアステープと基材（１）で網素材を挟んで縫製することにより固定してある。
【００１７】
〈防犯ベルカバーの作成〜ステップ２（特徴構造の作成）〉
第２ステップとして、防犯ベルカバーの特徴構造を作成した。
第２ステップで作成した防犯ベルカバーの特徴構造を図２に示した。
第２ステップにおいて、最初に、ステップ１で作成した防犯ベルカバーについて、本願発明の構成要件（発明特定事項）上の重要な特徴の一つである、孔部（Ｘ）を穿孔した。
孔部（Ｘ）は、特に制限されるものではないが、実施例２においては、ハトメで補強した。
次に、孔部（Ｘ）について、本願発明の構成要件（発明特定事項）上の重要な特徴の一つであるリングを通し、リング部（Ｙ）とした。
リング部に使用するリングは、特に制限されるものではないが、実施例１においては、金属環（例えば、キーホルダーにおいて鍵を束ねるために使用する金属線材を３周程度コイルにしたリング）を使用した。
リング部に使用するリングとしては、例えば、金属環（例えば、キーホルダーにおいて鍵を束ねるために使用する金属線材を１〜３周程度コイルにしたリング、孔を開けた短冊状の単語暗記カードを束ねるために使用する開閉自由なリング等）、安全ピン、クリップ（ゼムクリップ、ダブルクリップ、洗濯バサミ等）、カラビナ（登山用・アクセサリー用・ＩＤカードホルダーストラップ用等のカラビナ）、ループ（繊維製・プラスチック製・エラストマー製等のループ、輪ゴム等）等を好ましく使用することができる。
示した。
第２ステップで完成した本願発明に係る防犯ベルカバーへの防犯ベル本体の装着方法を図３２及び図３３に示し
第２ステップで完成した本願発明に係る防犯ベルカバーのバリエーションである他の形態を図３５に示した。
【００１８】
〈実施例２の作用効果〉
ステップ１で作成した基本構造のみの防犯ベルカバーは、実登３１３６０５６号にも開示してあるように、
（１）防犯ベルに衝撃を与えずにスムーズに収納する機能、
（２）違和感なく防犯ベルを携行することができる機能、
（３）多種多様な形状やサイズの防犯ベルを収納できる機能、
（４）有事に防犯ベルを携行者の体の前面で咄嗟に且つ迅速に操作できる機能、
（５）不審者を牽制するために防犯ベル本体が防犯ベルカバー内部に存在することを不審者に対して視覚的に顕示して防犯につながる機能
の全てを同時に発揮することができる。
しかし、基本構造のみに防犯ベルカバーをランドセルの肩ベルトに装着すると、防犯ベルカバーが、自重のために、肩ベルトに沿って、下方に落下してしまうという問題があった。
ステップ２で作成した特徴構造を付加した防犯ベルカバーは、基本構造のみに防犯ベルカバーとは対照的に、防犯ベルカバーをランドセルの肩ベルトの前面に装着した場合であっても、防犯ベルカバーが肩ベルトに沿った落下を防止することができた。
た。
【符号の説明】
【００１９】
１． 基材（人工皮革または皮革）
２． 切れ目
３．面ファスナーＡ
３’．舌状片（裏側が面ファスナーＡの縫着箇所）
３’’．端片（裏側が面ファスナーＢの縫着箇所）
３’’’．舌状片（裏側が面ファスナーＢの縫着箇所）
４．面ファスナーＢ
５．透視性と収縮性を兼備した素材（網）
６．収縮性布テープ（ゴム素材）
７．バイアステープ
８．防犯ベル本体
Ｘ  孔部  （必要に応じハトメ等で補強）
Ｙ  リング部  （金属環、安全ピン、クリップ、カラビナ、ループ等）  
Ｕ１  基材上端
Ｕ２  ポケット上端
【図面の簡単な説明】
【００２０】
【図１】本願発明に係る防犯ベルカバー（請求項１・実施態様１）の基本的構造と構成部材。
【図２】本願発明に係る防犯ベルカバー（請求項１・実施態様１）の特徴的構造。
【図３】本願発明に係る防犯ベルカバー（請求項２・実施態様２）の基本的構造と構成部材。
【図４】本願発明に係る防犯ベルカバー（請求項２・実施態様２）の特徴的構造。
【図５】市販ランドセルの肩ベルトに設けられたナス環とＤ環の外観。    ［画像出典］http://www.rakuten.ne.jp/gold/mikihouse/fair/r_nasudkan.html
【図６】ランドセルの肩ベルトに設けられたナス環とＤ環の従来における使用態様。    ［画像出典］  http://www.randoseru.ne.jp/belt.html
【図７】本願防犯ベルカバーを肩ベルトのＤ環に取り付けた使用態様。
【図８】本願発明に係る防犯ベルカバー（請求項１・実施態様１）の正面図。
【図９】本願発明に係る防犯ベルカバー（請求項１・実施態様１）の背面図。
【図１０】本願発明に係る防犯ベルカバー（請求項１・実施態様１）の右側面図。
【図１１】本願発明に係る防犯ベルカバー（請求項１・実施態様１）の左側面図。
【図１２】本願発明に係る防犯ベルカバー（請求項１・実施態様１）の平面図。
【図１３】本願発明に係る防犯ベルカバー（請求項１・実施態様１）の底面図。
【図１４】本願発明に係る防犯ベルカバー（請求項１・実施態様１）の正面図（舌部を開いた状態）。
【図１５】本願発明に係る防犯ベルカバー（請求項１・実施態様１）の背面図（舌部を開いた状態）。
【図１６】本願発明に係る防犯ベルカバー（請求項１・実施態様１）の正面斜視図（舌部を開いた状態）。
【図１７】本願発明に係る防犯ベルカバー（請求項１・実施態様１）の背面斜視図（舌部を開いた状態）。
【図１８】比較例（意匠登録１２９１９８８号に開示されている防犯ベルカバーをランドセルの肩ベルトに装着し、防犯ベルカバーが肩ベルトに沿って下方に落下してしまった状態）。
【図１９】面ファスナーＡと面ファスナーＢのファスニング面（防犯ベルカバー表面・裏面）［請求項１・実施態様１］
【図２０】面ファスナーＡと面ファスナーＢのファスニング面（防犯ベルカバー裏面）［請求項１・実施態様１］
【図２１】面ファスナーＡファスニング面と面ファスナーＢファスニング面とのファスニング（防犯ベルカバー裏面）［請求項１・実施態様１］
【図２２】防犯ベルカバーの基本構造と構成部材［請求項２・実施態様２］
【図２３】防犯ベルカバー基材の切れ目の入れ方（防犯ベルカバー裏面）［請求項２・実施態様２］
【図２４】防犯ベルカバー基材への面ファスナーＡの固定箇所（防犯ベルカバー裏面）［請求項２・実施態様２］
【図２５】防犯ベルカバー基材への面ファスナーＢの固定箇所（防犯ベルカバー表面）［請求項２・実施態様２］
【図２６】防犯ベルカバー基材への面ファスナーＢの固定（縫着）（防犯ベルカバー表面）［請求項２・実施態様２］
【図２７】面ファスナーＡと面ファスナーＢのファスニング面の位置関係 （防犯ベルカバー表面）［請求項２・実施態様２］
【図２８】防犯ベルカバーの鞄の提手又は肩ベルトへの装着状態（防犯ベルカバー裏面）［請求項２・実施態様２］
【図２９】防犯ベルカバーの鞄の提手又は肩ベルトへの装着状態（防犯ベルカバー表面）［請求項２・実施態様２］
【図３０】長方形型防犯ベルカバーの基本構造（防犯ベルカバー表面）［請求項２・実施態様２］
【図３１】楕円形型防犯ベルカバーの基本構造（防犯ベルカバー表面）［請求項２・実施態様１２］
【図３２】防犯ベルカバーへの防犯ベル本体の装入方法（装着方法）（防犯ベルカバー表面）［請求項１〜２・実施態様１〜２］
【図３３】防犯ベルカバーへの防犯ベル本体の装着方法（防犯ベルカバー表面）［請求項１〜２・実施態様１〜２］
【図３４】本願発明に係る防犯ベルカバー（請求項１・実施態様１）の特徴的構造の他の態様
【図３５】本願発明に係る防犯ベルカバー（請求項２・実施態様２）の特徴的構造の他の態様
【図１】
2010240223.tif 000003
【図２】
2010240223.tif 000004
【図３】
2010240223.tif 000005
【図４】
2010240223.tif 000006
【図５】
2010240223.tif 000007
【図６】
2010240223.tif 000008
【図７】
2010240223.tif 000009
【図８】
2010240223.tif 000010
【図９】
2010240223.tif 000011
【図１０】
2010240223.tif 000012
【図１１】
2010240223.tif 000013
【図１２】
2010240223.tif 000014
【図１３】
2010240223.tif 000015
【図１４】
2010240223.tif 000016
【図１５】
2010240223.tif 000017
【図１６】
2010240223.tif 000018
【図１７】
2010240223.tif 000019
【図１８】
2010240223.tif 000020
【図１９】
2010240223.tif 000021
【図２０】
2010240223.tif 000022
【図２１】
2010240223.tif 000023
【図２２】
2010240223.tif 000024
【図２３】
2010240223.tif 000025
【図２４】
2010240223.tif 000026
【図２５】
2010240223.tif 000027
【図２６】
2010240223.tif 000028
【図２７】
2010240223.tif 000029
【図２８】
2010240223.tif 000030
【図２９】
2010240223.tif 000031
【図３０】
2010240223.tif 000032
【図３１】
2010240223.tif 000033
【図３２】
2010240223.tif 000034
【図３３】
2010240223.tif 000035
【図３４】
2010240223.tif 000036
【図３５】
2010240223.tif 000037
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
基材（１）の表面に上端と下端に余白を残してポケット開口部が上方を向くように防犯ベルを収納するためのポケット部を設け、
上端余白部と下端余白部に横方向に切れ目（２）を入れ、
基材（１）の裏面に二つの舌状片（３’及び３’’’）を設け、
舌状片（３’）の表側部分に面ファスナーＡ（３）をファスニング面が表を向くように縫着し、
舌状片（３’’’）の裏側部分に面ファスナーＢ（４）をファスニング面が裏を向くように縫着することにより、
切れ目（２）にランドセルの肩ベルトを通し、
切れ目（２）を通したランドセルの肩ベルトを、
舌状片（３’）の面ファスナーＡ（３）のファスニング面と、
舌状片（３’’’）の面ファスナーＢ（４）のファスニング面をファスニングすることにより、
ランドセルの肩ベルトに容易に且つ迅速に装着することができるランドセル用防犯ベルカバーにおいて、
基材上端（Ｕ１）とポケット上端（Ｕ２）の間に少なくとも一つの孔部（Ｘ）を設け、
孔部（Ｘ）を介して基材の表面と裏面を跨ぐようにリングを通したリング部（Ｙ）を設け、
前記リング部（Ｙ）を、
ランドセルの肩ベルトに設けられているＤ環及び／又はナス環に固定することにより、
防犯ベルカバーの落下を防止する機能を発揮することを特徴とするランドセル用防犯ベルカバー。
【請求項２】
基材（１）の表面に上端と下端に余白を残してポケット開口部が上方を向くように防犯ベルを収納するためのポケット部を設け、
上端余白部と下端余白部にＬ字形又はＬ字を左右反転させた形の切れ目（２）を入れることにより舌状片（３’）と端片（３’’）を設け、
舌状片（３’）の裏側部分に面ファスナーＡ（３）をファスニング面が裏を向くように縫着し、
端片（３’’）の裏側部分に面ファスナーＢ（４）をファスニング面が表を向くように縫着することにより、
ランドセルの肩ベルトに容易に且つ迅速に装着することができるランドセル用防犯ベルカバーにおいて、
基材上端（Ｕ１）とポケット上端（Ｕ２）の間に少なくとも一つの孔部（Ｘ）を設け、
孔部（Ｘ）を介して基材の表面と裏面を跨ぐようにリングを通したリング部（Ｙ）を設け、
前記リング部（Ｙ）を、
ランドセルの肩ベルトに設けられているＤ環及び／又はナス環に固定することにより、
防犯ベルカバーの落下を防止する機能を発揮することを特徴とするランドセル用防犯ベルカバー。
【請求項３】
防犯ベルを収納するためのポケット部分が、
収縮性と透視性を有する素材から構成され、防犯ベルカバー内部に防犯ベル本体が存在することを外部から容易に視認することができると共にカバー内部で防犯ベルが揺動しないように支持する機能を発揮することを特徴とする、
請求項１又は２に記載したランドセル用防犯ベルカバー。
【手続補正２】
【補正対象書類名】明細書
【補正対象項目名】００１０
【補正方法】変更
【補正の内容】
【００１０】
本願発明に係る防犯ベルカバーの特徴的構造とその構造によって発揮される機能は、
基材上端（Ｕ１）とポケット上端（Ｕ２）の間に少なくとも一つの孔部（Ｘ）を設け、
孔部（Ｘ）を介して基材の表面と裏面を跨ぐようにリングを通したリング部（Ｙ）を設けることにより、
前記リング部（Ｙ）を、
ランドセルの肩ベルト又は鞄の提手に設けられているＤ環及び／又はナス環に固定することにより、
防犯ベルカバーの落下を防止する機能を発揮することができることである。
【手続補正３】
【補正対象書類名】明細書
【補正対象項目名】００１１
【補正方法】変更
【補正の内容】
【００１１】
本願発明における課題を解決するための手段は、以下の［請求項１］〜［請求項３］に記載した事項により特定される。
［請求項１］
基材（１）の表面に上端と下端に余白を残してポケット開口部が上方を向くように防犯ベルを収納するためのポケット部を設け、
上端余白部と下端余白部に横方向に切れ目（２）を入れ、
基材（１）の裏面に二つの舌状片（３’及び３’’’）を設け、
舌状片（３’）の表側部分に面ファスナーＡ（３）をファスニング面が表を向くように縫着し、
舌状片（３’’’）の裏側部分に面ファスナーＢ（４）をファスニング面が裏を向くように縫着することにより、
切れ目（２）にランドセルの肩ベルトを通し、
切れ目（２）を通したランドセルの肩ベルトを、
舌状片（３’）の面ファスナーＡ（３）のファスニング面と、
舌状片（３’’’）の面ファスナーＢ（４）のファスニング面をファスニングすることにより、
ランドセルの肩ベルトに容易に且つ迅速に装着することができるランドセル用防犯ベルカバーにおいて、
基材上端（Ｕ１）とポケット上端（Ｕ２）の間に少なくとも一つの孔部（Ｘ）を設け、
孔部（Ｘ）を介して基材の表面と裏面を跨ぐようにリングを通したリング部（Ｙ）を設け、
前記リング部（Ｙ）を、
ランドセルの肩ベルトに設けられているＤ環及び／又はナス環に固定することにより、
防犯ベルカバーの落下を防止する機能を発揮することを特徴とするランドセル用防犯ベルカバー。
［請求項２］
基材（１）の表面に上端と下端に余白を残してポケット開口部が上方を向くように防犯ベルを収納するためのポケット部を設け、
上端余白部と下端余白部にＬ字形又はＬ字を左右反転させた形の切れ目（２）を入れることにより舌状片（３’）と端片（３’’）を設け、
舌状片（３’）の裏側部分に面ファスナーＡ（３）をファスニング面が裏を向くように縫着し、
端片（３’’）の裏側部分に面ファスナーＢ（４）をファスニング面が表を向くように縫着することにより、
ランドセルの肩ベルトに容易に且つ迅速に装着することができるランドセル用防犯ベルカバーにおいて、
基材上端（Ｕ１）とポケット上端（Ｕ２）の間に少なくとも一つの孔部（Ｘ）を設け、
孔部（Ｘ）を介して基材の表面と裏面を跨ぐようにリングを通したリング部（Ｙ）を設け、
前記リング部（Ｙ）を、
ランドセルの肩ベルトに設けられているＤ環及び／又はナス環に固定することにより、
防犯ベルカバーの落下を防止する機能を発揮することを特徴とするランドセル用防犯ベルカバー。
［請求項３］
防犯ベルを収納するためのポケット部分が、
収縮性と透視性を有する素材から構成され、防犯ベルカバー内部に防犯ベル本体が存在することを外部から容易に視認することができると共にカバー内部で防犯ベルが揺動しないように支持する機能を発揮することを特徴とする、
請求項１又は２に記載したランドセル用防犯ベルカバー。